(57)【特許請求の範囲】
【請求項１】
有底上方開口型ごみ箱本体にあって、該開口部を被覆する親蓋と、該親蓋に設けたごみ投入口を被覆する子蓋たるヒンジ付蓋と、からなり、該ヒンジ付蓋の開閉方向を、その取付替えにより、前記ごみ箱本体の設置場所に応じて、変更できるようにしたことを特徴とする親子蓋を有するプラスチック製ごみ箱。
【請求項２】
前記ごみ箱本体を長方体にすると共に、前記ヒンジ付蓋をバネにより自動的に開くようにした請求項１に記載の親子蓋を有するプラスチック製ごみ箱。
【発明の詳細な説明】
【０００１】
【発明の属する技術分野】
本発明は、親子蓋を有するプラスチック製ごみ箱に関するものである。
【０００２】
【従来の技術】
一般に生活系のごみのうち、大型ごみを除く「一般ごみ」とス、陶磁器等の不燃、燃焼不適物とに区分される。
【０００３】
この、不燃・燃焼不適物の中には、カミソリの刃や乾電池が含まれて区分される。
【０００４】
これらの一般ごみを入れるごみ容器は、ポリ袋等のごみ袋、紙袋、および、ポリバケツ（ポリプロピレン樹脂等プラスチックバケツ）等が用いられる。
【０００５】
ところで、かかる一般ごみの増大によって埋立てごみの減量化や、ごみの資源化によるごみ処理が行われている。
【０００６】
このごみ資源回収のための処理法には、一般ごみを資源別に分類、排出、つまり分別することが有効な手段とされ、奨励されて、現在、全国的に普及                        定着している。
【０００７】
かかる分別用プラスチック製ごみ容器、特にごみ箱については、本出願人は多数の提案（例えば実用新案登録第２５６０８９３号公報、実用新案登録第２５０２１３９号公報、特開平１０−８１４０１号公報等参照）を行っているが、勿論、本出願人以外の一般的にも、古くから極めて多くの技術の紹介や提案が行われている。
【０００８】
例えば、実用新案登録第２５００４１２号公報で示された、図８に示すような分別用プラスチック製ごみ箱１００のヒンジ付蓋１０９の一般的な技術例を説明する。
【０００９】
すなわち、有底上方開口型の長方体状のごみ箱本体１０１には、その上方開口部にメガネ状の蓋用フレ−ム１０２がその側面に設けたクランプ１０３によって取外自在に被覆されている。
【００１０】
この蓋用フレ−ム１０２には、ごみ箱本体１０１の上方開口部を被覆する外フラップ１０４が形成され、また、上下方向に開口する２つのごみ投入口１０５，１０５が形成されている。
【００１１】
これらのごみ投入口１０５の形状は、平面視でごみ箱１００の前面（ごみ箱本体１０１の長方体における長辺側を前または後面とし、例えば、後面を壁面側とし、ごみ箱使用者（単に使用者ともいう）が立つ側を前面とする。以下同じ）側にその円弧端を向けた馬蹄形にし、その周囲を立上がり１０６と、後部に設けた蓋取付け岸部１０７とで囲っている。
【００１２】
この立上り部１０６には、その外周側に棚のある段部１０８を形成し、この段部１０８に、逆浅皿状馬蹄形のヒンジ付蓋１０９に設けたフラップ１１０が当接するようにしている。
【００１３】
このヒンジ付蓋１０９は、蓋取付け岸部１０７で蓋用フレ−ム１０２に対しヒンジ結合してごみ投入口１０５を開閉するように枢支している。
【００１４】
この立上り部１０６の前面側の円弧端には、手掛け凹部１１１を形成し、この手掛け凹部１１１に使用者が指を入れてヒンジ付蓋１０９を後方に向け起立させて開くようにしている。
【００１５】
したがって、ヒンジ付蓋１０９は少なくとも蓋取付け岸部１０７上で起立しており、ごみ投入口１０５における使用者側周辺を広くし、ごみ投入作業をヒンジ付蓋１０９によって邪魔をしないようにしている。
【００１６】
勿論、一般のごみ箱におけるヒンジ付蓋も、この例に限らず、後方に起立させたり、倒したりする構造になっている（例えば実公平１−３３５２５号公報参照）。
【００１７】
【発明が解決しようとする課題】
ところが、かかるごみ箱１００では、集合住宅の室内や事務所用ビルの室内や一般家庭の台所等において、その設置場所に、例えば狭いことや部屋の見映え等のための制約があって、ごみ箱本体１０１が長方体であるだけに、ごみ箱１００の側面に使用者が立ってヒンジ付蓋１０９を開閉する場合が生じる。
【００１８】
かかる場合、起立したヒンジ付蓋１０９が当該使用者の右または左手側にあって、ごみ投入作業を邪魔しやすい、という問題があった。
【００１９】
そこで本発明は、かかる問題を除くことを主たる目的としながら、ごみ箱の蓋開閉作業を容易にしたり、１つのごみ箱でその使い方の多様化を図るようにしたりすることを副たる目的とする。
【００２０】
【課題を解決するための手段】
かかる目的を達成するための本発明の要旨とするところは、１）有底上方開口型ごみ箱本体にあって、該開口部を被覆する親蓋と、該親蓋に設けたごみ投入口を被覆する子蓋たるヒンジ付蓋と、からなり、該ヒンジ付蓋の開閉方向を、その取付替えにより、前記ごみ箱本体の設置場所に応じて、変更できるようにしたことを特徴とする親子蓋を有するプラスチック製ごみ箱にあり、また、２）前記ごみ箱本体を長方体にすると共に、前記ヒンジ付蓋をバネにより自動的に開くようにした請求項１に記載の親子蓋を有するプラスチック製ごみ箱にある。
【００２１】
【発明の実施の形態】
本発明を添付図面に示す、その実施例により詳細に述べる。
【００２２】
図１は本発明の実施例の概念斜視図を用いた説明図、図２は本実施例の平面図、図３は図２のＡ矢視断面図、図４は図２のＢ矢視断面図、図５は図２の要部平および底面図、図６は図５の詳細図で、（Ａ）は図５のＡ矢視断面図、（Ｂ）は図５のＢ矢視側面図、（Ｃ）は図５のＣ矢視断面図、図７は図２の他の要部詳細図で、（Ａ）は図２のＡ矢視断面図および正面図、（Ｂ）は図７（Ａ）のＢ矢視側面図である。
【００２３】
本発明の実施例のプラスチック製ごみ箱１は、ＰＰ樹脂の射出またはブロ−成形品で、そのごみ箱本体２は正面視および側面視で下方に若干絞られた深底の上方開口型長方体状で、その寸法は例えば、高さ約５５０ｍｍ、開口側の長辺約４５０ｍｍ、短辺約２５０ｍｍになっている。したがって、この長辺は短辺の約２倍になった長方体で構成している。
【００２４】
このプラスチック製ごみ箱１は、戸外に設置できることは勿論、特に一般家庭の台所や営業食堂の調理場や事務所ビルの室内等に設置されて、分別用ごみ箱として使用される。
【００２５】
したがって、このごみ箱１の好ましい例では、２つのごみ投入口３がその水平状上面に開口され、これらのごみ投入口３はヒンジ付蓋（ヒンジ部で枢支して蓋が閉じた倒伏状態から少なくとも起立状態迄回転して開く蓋をいう）４で開閉される。
【００２６】
さて、本実施例のごみ箱１の特徴を概説する。
【００２７】
図１において、本実施例のごみ箱１は、キャスタ−付またはキャスタ−なしのごみ箱本体２と、該ごみ箱本体２の開口部の全体を被覆する１個の親蓋５と、該親蓋５に設けられた２つまたはそれ以上のごみ投入口３，３，３ａ，３ｂを各被覆するための子蓋たるヒンジ付蓋４，４および／または孫蓋６，６と、からなり、特に、常時使われるヒンジ付蓋４，４は、親蓋５にその設置場所において容易に着脱自在にして取付変更可能の、平面視正方形状の蓋枠７，７に、ヒンジ結合されて開閉するようになっている。
【００２８】
そして、このヒンジ付蓋４の開く方向は、たとえごみ箱１の側面に立っていても、使用者からみて常に手前から後方に向けるようにしているので、ごみ投入作業でヒンジ付蓋４が起立していても邪魔にならない。
【００２９】
すなわち、このごみ箱１は、その設置場所におけるスペ−スや見映や秘匿や１箇のごみ箱１が柱と壁に挟まれる等の制約により、図１（Ａ）図のように通常設置のヨコ置きにしたり、また、図１（Ｂ）図のように側面側に使用者が立ってごみ投入を行う特殊設置のタテ置きにして使用できるようにしている。
【００３０】
したがって、かかるタテ置きにする場合には、前記蓋枠７を親蓋５から外し、その嵌合替え（９０°向きを変える）をすれば、ヒンジ付蓋４は使用者からみて手前から後方に向けて開くことができる。
【００３１】
また、このごみ箱１には、分別用のため当然、１つのごみ投入口３に単独のごみ袋（いわゆるポリ袋ともいい、不図示）を用い、しかも、底部迄届くような仕切板を用いないので、ごみ箱本体２内では、ごみ袋は仕切板に規制されることなくゴミを自由に充満させることができる。
【００３２】
このごみ袋のため、ごみ袋押え（不図示）やごみ袋支え板８を必要とするが、このごみ袋支え板８は、ごみ箱本体２の開口部で前面側の略中央から後面側の略中央に差し渡されている。そして、ごみ袋を装着したり取出すには親蓋５を外して行う。
【００３３】
更にまた、このごみ箱１では、ヒンジ付蓋４を必要としない常時開放型のごみ投入口３にする場合には、ヒンジ付蓋４を蓋枠７と共に親蓋５から外せばよい。この場合でも、ごみ袋は親蓋５によって固定されているので、ごみ投入には支障をきたさない。したがって、このごみ箱１はその使い方を多様化することができる。
【００３４】
殊に、このヒンジ付蓋４を開くには、前記蓋枠７の、使用者からみて手前に設けた押圧片２０（図５参照）を指で押すと、蓋枠７とヒンジ付蓋４との係合が外れ、ヒンジ付蓋４のヒンジ側に設けたコイルバネまたは板バネ（いずれも不図示）のバネ力により自動的に比較的勢いよくはね上げて起立する。勿論、閉じるときはヒンジ付蓋４の上面をバネ力に抗して押圧し、再び蓋枠７とヒンジ付蓋４との係合を行う。
【００３５】
したがって、ヒンジ付蓋４を開くとき、もし、使用者の左または右方向にヒンジ付蓋４が倒伏から起立すると、蓋枠７の押圧片１０を指先で押圧するだけに、ヒンジ付蓋４が使用者たる婦女子の身体に触れる恐れがある。
【００３６】
しかしながら、本実施例のヒンジ付蓋４は常に使用者の手前から後方に向け開くのでその心配はない。
【００３７】
勿論、前記図８で示した従来例のヒンジ付蓋１０９では、該ヒンジ付蓋１０９を取外してごみ箱１００を使用することはできない。
【００３８】
次に、このごみ箱１の親蓋５、蓋枠７、ヒンジ付蓋４およびごみ袋支え板８に分けて詳説する。なお、これらはいずれもプラスチック製、殊に、ＰＰ射出成形品である。
【００３９】
まず親蓋（親蓋フレ−ムと称してもよい）５は、主として図２、図３および図４（図３の中心線ａより左側はヒンジ付蓋４および蓋枠７を残した側断面図、右側はこれらのない側断面図、図４では特にごみ袋支え板８の側面図を示している）において、逆の若干深皿状に形成されて、ごみ箱本体２の上方開口部の全面を被覆するが、その側面に設けたクランプ９，９により開閉自在に固定する。したがって、この親蓋５は左右対称に構成しているので、１８０°向きを変えて被覆できる。
【００４０】
また、この親蓋５の被覆によって、ごみ袋押え（不図示で、端部を枢支した略Ｕ字片）を上方から押圧して固定し、また、前記ごみ袋支え板８で支持されたごみ袋の開いた口周辺も押圧して固定する。
【００４１】
この親蓋５には、特に２つの同形（または異形）のごみ投入口３，３が左右対称に設けてあり（勿論、図１に示すカミソリ用投入口３ａや乾電池用投入口３ｂを更に設けてもよい）、これらのごみ投入口３は正方形に形成されている。因みに１辺約１８０ｍｍ角の正方形になっている。
【００４２】
この親蓋５の裏面には、ごみ袋支え板８にゆるく噛み合わせ、かつ、ごみ袋の開いた口周辺を挟むためのごみ袋支え板用押圧リブ１０を、ごみ箱本体２の長辺中央の所で、かつ、前面側と後面側との中間部に突設している。
【００４３】
この押圧リブ１０は、図４に示すように左右１対の噛み合わせ片１１，１１と、これらの噛み合わせ片１１を連結し、かつ、ごみ袋支え板８の中央垂直板１２を上方から噛み合わせる２つ（図３では１つのみ図示）の連結片１３，１３と、から大略構成しているので、親蓋５をごみ箱本体２に被覆することにより、ごみ箱本体２に固定しているごみ袋支え板８とゆるく噛み合い、これに支持されて口を開いたごみ袋の口周辺を押圧して固定する。
【００４４】
また、前記ごみ投入口３は上下方向に開口し、その開口部では、親蓋５の水平状の上面からフラップ状の蓋枠用案内囲い１４が下向きに折り返されており、この蓋枠用案内囲い１４の下端に互に内向になった蓋枠用支持段部１５が設けられて（図４参照）、上方からの嵌合した蓋枠７を支持するようにしている。
【００４５】
勿論、この支持段部１５の張り出し量は、蓋枠７の板厚程度で、ごみ投入口３の開口面積を狭めることはない。
【００４６】
次に、蓋枠７について述べる。主として、図２、図５（図５の縦中心線より左側は底面図、右側は平面図を示す）および図６において、この蓋枠７は２つ同形（または異形）になっており、いずれも、前記親蓋５の案内囲い１４に上方から着脱自在に嵌合する。
【００４７】
また、この蓋枠７には正方形のヒンジ付蓋４を装着するので、この蓋枠７も平面視で正方形の囲い枠体になっており、また、図２における後面側の内                        側に左右１対のヒンジピン１７，１８が一体に向き合って突設している。
【００４８】
これらのヒンジピン１７，１８によりヒンジ付蓋４が枢支されると共に、長寸のヒンジピン１７にコイルバネが巻着する（不図示）。
【００４９】
この蓋枠７には各辺または左右辺にそれぞれ２つ（計８つまたは４つ）の舌片１９が一体に吊設し、この舌片１９の外面に水平突条状の係止用ポッチ１６が外向きに形成されていて、案内囲い１４の下端に係止する。
【００５０】
したがって、この舌片１９を樹脂変形により内側に若干弯曲させて、蓋枠７を親蓋５のごみ投入口３に嵌着する。
【００５１】
殊に、この蓋枠７には使用者からみて前方側の上端に側面視で逆Ｌ字状（図６（Ｃ）参照）の押圧片２０を一体に延設して、使用者がこれを押圧して、押圧片２０の基部側に形成した蓋開閉用ポッチ２１を、ヒンジ付蓋４に形成した蓋開閉用ポッチ２２から外すようにしている。
【００５２】
すなわち、これらの蓋開閉用ポッチ２１，２２は互に係合していて、ヒンジ付蓋４を開くときは押圧片２０を押すと、２１が２２から樹脂弾性に抗して外れ、また、ヒンジ付蓋４を閉じるときはヒンジ付蓋４の上面を手のひら等で押圧すると、２１は押圧片２０の基部側の樹脂弾性に抗して２２を乗り越え係止する。
【００５３】
そして、この押圧片２０による蓋開閉用ポッチ２１，２２の円滑な係脱操作のため、押圧片２０を親蓋５の水平状上面より若干高くして、しかも、前方に延設し使用者に近づけるように設けている。
【００５４】
そして、この押圧片２０の押圧量は、図３に示すように親蓋５の水平状上面に接する迄に制限し無用な押圧を防ぎ、押圧片２０を折損しないようにしている。
【００５５】
また、この押圧片２０を把持すれば、蓋枠７を親蓋５から外すこともできる。
【００５６】
なお、前記舌片１９や押圧片２０には、その両側に切欠を設けて、樹脂弾性変形を容易にしている。
【００５７】
なおまた、この蓋枠７は、ヒンジ付蓋４のヒンジ結合を確実にし、かつ、開閉方向を簡単に変更するために必要とするが、単にヒンジ付蓋４の開閉方向変更だけであれば、すなわち、ヒンジ結合の着脱作業の面倒を犠牲にすれば、親蓋５のごみ投入口３の案内囲い１４に直接１対のヒンジピンを直交してそれぞれ設け、ヒンジ付蓋４を当該ごみ箱１の設置場所において着脱できるようにしてもよい。
【００５８】
次に、ヒンジ付蓋４について述べる。主として図２、図３、図６（Ａ）および図６（Ｃ）に示すように、子蓋たるヒンジ付蓋４は、１辺約１６４ｍｍ角の正方形の逆浅皿状に構成し、その浅皿折り返し片の前方側の外面に、前記の蓋開閉用ポッチ２２を一体に形成している。
【００５９】
また、ヒンジ付蓋４の後方には、前記ヒンジピン１７，１８を遊嵌するヒンジピン孔２３を穿設している。
【００６０】
次に、ごみ袋支え板（仕切板ともいう）８について述べる。図２、図３、図４および図７において、このごみ袋支え板８は、ごみ箱本体２の開口部で、前面側の中央から後面側の中央へ差し渡して設けているが、親蓋５の裏面に突設したごみ袋支え板用押圧リブ１０、殊に１対の噛み合わせ片１１と互にソゴして噛み合わせるため、上下方向に長寸で下方にも突設している垂直中央板１２と、その両側に平行になった、これより低い上方のみの垂直側板２４，２４と、これらの３板（１２，２４，２４）が立設する、長寸の短冊状の水平板本体２５と、この水平板本体２５の両端で、ごみ箱本体２の開口肩部２８に、ごみ袋支え板８を固定するための差し込み片２６，２６と、から大略構成されている。
【００６１】
したがって、このごみ袋支え板８の水平板本体２４は、ごみ箱本体２の開口部で両端支持されて、ごみ袋の口の開いた口  周辺を支持する。
【００６２】
この水平板本体２４が下方に弯曲するのを防ぐため、前記のように上下方向に１枚の垂直中央板１２と２枚の垂直側板２４，２４を突設している。
【００６３】
また、このごみ袋支え板８を生産工場等にてごみ箱本体２にセットし、その妄動を防ぐため、下方に突設した垂直中央板１２の端部と、水平板本体２４の両端側にそれぞれ下方に突設した案内板２７，２７とで、ごみ箱本体２の板厚の開口縁を挟持するようにしており、また、差し込み片２６は下方にフォ−ク状にした板体で構成して、正面視での左右の揺れを防いでいる（図４参照）。
【００６４】
したがって、このごみ袋支え板８は、従来のごみ箱本体の底まで届く仕切板でなく、また、ごみ箱本体の開口部内を囲繞した枠部材（例えば特開平７−３２３９０１号公報参照）でもなく、単なる差し渡し片でありながら、ごみ袋の開いた口の一部を支持しても、下向きに弯曲することなく、しかも、ごみ箱本体２に１個のごみ袋を用いるときには容易に取外しができ、その上、このごみ袋支え板８をその底部に収容しておくこともできる。
【００６５】
なお、本発明のごみ箱１は、家庭から出るごみを分別収容するだけでなく、オフィスから出る事務所用紙等のごみや、病院等の公共場所から出る一般ごみを分別して収容することができる。
【００６６】
また、本発明は、２つのごみ投入口を有するごみ箱だけでなく、使用者の手の届く限り、３つまたはそれ以上（複数）のごみ投入口を有するごみ箱であってもよく、更に、これらのごみ箱を複数個ヨコ置き並設して使用してもよい。
【００６７】
勿論、このごみ箱１では、バネなしのヒンジ蓋にも適用できるし、最適ではないが、円筒状を除く異形の角筒状でも適用でき、更にヒンジなしの蓋を併用してもよい。
【００６８】
【発明の効果】
本発明によると、親蓋（親蓋フレ−ム）にヒンジ付蓋を設けて、しかも、このヒンジ付蓋の開閉方向を、設置現場において、使用者が変更できるようにしたので、設置場所の制約に適応することができ、更に、親蓋をごみ箱本体に被覆する向きを１８０°変更すると、このヒンジ付蓋の開閉方向が更に多様化して、ごみ箱設置場所の制約に更にこまかく適応させることができる。
【００６９】
殊に、ヒンジ付蓋は使用者からみて常に手前から後方に開くので、ごみ投入作業や蓋開閉作動にとって好都合となる。
【００７０】
勿論、ごみ箱本体にキャスタ−が付いておれば、ごみ箱を秘匿していても、広い所でごみ袋を装脱できる。
【００７１】
また、ごみ箱にごみ袋を使用した場合には、親蓋を開いてこれを取出すことができ、この点でも好都合となる。
【図面の簡単な説明】
【図１】  本発明の実施例の概念斜視図を用いた説明図である。
【図２】  本実施例の平面図である。
【図３】  図２のＡ矢視断面図である。
【図４】  図２のＢ矢視断面図である。
【図５】  図２の要部平面図および底面図である。
【図６】  図５の詳細図である。
【図７】  図２の他の要部詳細図である。
【図８】  従来例である。
【符号の説明】
１…ごみ箱、２…ごみ箱本体、３…ごみ投入口、４…ヒンジ付蓋、５…親蓋
【図１】
0003645167.tif 000002
【図２】
0003645167.tif 000003
【図３】
0003645167.tif 000004
【図４】
0003645167.tif 000005
【図５】
0003645167.tif 000006
【図６】
0003645167.tif 000007
【図７】
0003645167.tif 000008
【図８】
0003645167.tif 000009